(57)【要約】【課題】熟練職人が不要で、単体の着脱交換が容易な建材用ブロック材と、ブロック材を用いたブロック壁構造体及びその組立方法を提供する。【解決手段】建材用ブロック材１は、略多角形の意匠面１ａと、その周縁に略垂直に連なる側壁１ｂを有する有底無蓋の箱型形状で、側壁１ｂを構成する係合短辺部１ｃ、係合長辺部１ｄの外周面に、意匠面１ａに略平行な係合面１ｆを有する係合部１ｅが一体的に突設されており、かつ係合部１ｅのない非係合辺部１ｇを有する。また、ブロック壁構造体は、枠体の開口部に対をなすブロック材１が挿入されて各々の側壁端面１ｈを向き合わせて形成した複数の複合中空ブロック体が係止部材で固定されている。さらに、ブロック壁の組立方法は、枠体の開口部に、ブロック材１を各々の側壁端面１ｈを向き合わせた形態で挿入して複数の複合中空ブロック体を形成する工程と、複合中空ブロック体を係止部材により枠体に固定する工程とを有する。【選択図】図１
2006336425.tif 000002
【特許請求の範囲】
【請求項１】
略多角形の意匠面と、該意匠面の周縁に略垂直に連なる側壁を有する有底無蓋の箱型形状のブロック材であって、該ブロック材の側壁を構成する複数の辺部の外周面に、意匠面に略平行な係合面を有する係合部が一体的に突設されており、かつ係合部が形成されていない側壁の辺部を有する建材用ブロック材。
【請求項２】
係合部は、側壁のコーナー部を除く辺部の中央部側に形成され、意匠面よりも略垂直方向に後退した位置に一体的に突設されていることを特徴とする請求項１に記載の建材用ブロック材。
【請求項３】
係合部は、外周面の突出寸法が施工により介在する目地部の幅寸法の３分の１以下であることを特徴とする請求項１または請求項２に記載の建材用ブロック材。
【請求項４】
係合部は、断面がＲ形状を連結した連続する曲面で側壁面から一体的に突設されていることを特徴とする請求項１から３の何れかに記載の建材用ブロック材。
【請求項５】
側壁の端面に、断面がＲ形状の凸設部位が形成されていることを特徴とする請求項１から４の何れかに記載の建材用ブロック材。
【請求項６】
略多角形の意匠面と、該意匠面の周縁に略垂直に連なる側壁を有する有底無蓋の箱型形状のブロック材及び該ブロック材と対をなすブロック材と、該ブロック材が遊嵌する開口部を有する枠体と、ブロック材を枠体に固定する係止部材とを具備し、枠体の開口部に対をなすブロック材が挿入されて各々の側壁端面を向き合わせて形成した複合中空ブロック体が固定されたブロック壁構造体であって、前記ブロック材は、その側壁の枠体に面する複数の辺部に、意匠面に略平行な係合面を有する係合部が一体的に突設されており、他の複合中空ブロック体のブロック材と隣接する側壁の辺部には係合部が形成されていないものであり、前記枠体の開口部に複数の複合中空ブロック体が係止部材により固定されているブロック壁構造体。
【請求項７】
複数の複合中空ブロック体が、実質的に同じ寸法形状であることを特徴とする請求項６に記載のブロック壁構造体。
【請求項８】
複合中空ブロック体相互の隣接する側壁の間に弾性充填材が挟持されていることを特徴とする請求項６または請求項７に記載のブロック壁構造体。
【請求項９】
枠体の開口部に、対向するブロック材の各々の側壁端面を支持する支持ブロックが凸設されていることを特徴とする請求項６から８の何れかに記載のブロック壁構造体。
【請求項１０】
枠体の開口部に、複合中空ブロック体を構成する一方のブロック材の係合部を支持する係止凸部が形成されており、他方のブロック材の係合部に係止して枠体に固定される係止部材により複合中空ブロック体が固定されていることを特徴とする請求項６から８の何れかに記載のブロック壁構造体。
【請求項１１】
複合中空ブロック体は、互いの側壁端面がシール材で気密固着されていることを特徴とする請求項１０に記載のブロック壁構造体。
【請求項１２】
略多角形の意匠面と、該意匠面の周縁に略垂直に連なる側壁を有する有底無蓋の箱型形状のブロック材であって、該ブロック材の側壁の枠体に面する複数の辺部に、意匠面に略平行な係合面を有する係合部が一体的に突設されており、他のブロック材と隣接する側壁の辺部には係合部が形成されていない複数のブロック材及び該ブロック材と対をなす複数のブロック材と、複数のブロック材を遊嵌する開口部を有する枠体と、該開口部に遊嵌した複数のブロック材の係合部を係止して枠体に固定する係止部材とを準備し、前記枠体の開口部に、対をなす前記ブロック材を各々の側壁端面を向き合わせた形態で挿入して複数の複合中空ブロック体を形成する工程と、該複合中空ブロック体を前記係止部材により枠体に固定する工程とを有するブロック壁の組立方法。
【請求項１３】
枠体の開口部に、対向するブロック材の各々の側壁端面を支持する支持ブロックを凸設しておき、かつブロック材の係合部が挿入される開口部の位置に、その弾性により進退可能でブロック材の係合部に係止する係止辺部を有する係止部材を固定し、該枠体の開口部に各々のブロック材を挿入して対向する側壁端面により該支持ブロックを挟持させるとともに、係止部材の係止辺部に各々のブロック材の係合部を係止させることにより複合中空ブロック体を形成して枠体に固定することを特徴とする請求項１２に記載のブロック壁組立方法。
【請求項１４】
枠体の開口部に、複合中空ブロック体を構成する一方のブロック材の係合部を支持する係止凸部を形成しておき、該枠体の開口部に複合中空ブロック体を挿入し、他方のブロック材の係合部に係止部材の係止辺部を係止させることにより複合中空ブロック体を枠体に固定することを特徴とする請求項１２に記載のブロック壁組立方法。
【請求項１５】
枠体の開口部に挿入する複合中空ブロック体の間に、弾性充填材を挟持させることを特徴とする請求項１２から１４の何れかに記載のブロック壁組立法。
【発明の詳細な説明】
【技術分野】
【０００１】
本発明は、外壁用、内壁用または仕切り壁用のガラス製等の建材用ブロック材、この建材用ブロック材を組付けてなるブロック壁構造体およびブロック壁の組立方法に関する。
【背景技術】
【０００２】
一般に、ガラス製等のブロック材で壁を形成する場合、熟練した職人が必要個数のブロック材を一定の目地間隔で配列し、目地にモルタルを充填してブロック材を下から順次積み上げて構築する湿式の施工方法が行われている。この作業には熟練した技術が必要であるが、近年熟練した職人が不足しているため、このようなモルタルを使って積層する湿式工法による施工が実施困難になってきている。
【０００３】
例えば、特許文献１には、四角形のブロック本体で、そのすべての辺の外周面に、外方に突出するフランジ部を一体的に形成すると共に、対称的な位置関係を呈するフランジ部分にフランジ部の突出量を制限する異形部を形成したブロック部材と、ブロック部材の各フランジ部の前後面側に位置し、かつブロック部材の異形部により形成される空間部に対応する部分に孔を有する対をなす支持部材と、ボルト、ナットを含む取付手段とを具備し、ブロック部材の各辺のフランジ部の前後面側に対をなす支持部材を位置させると共に、支持部材の孔、ブロック部材の異形部による空間部を利用して取付手段にて対をなす支持部材を緊締することによって、ブロック部材のフランジ部を支持部材にて挟持するパネル構体が開示されている。
【０００４】
また、特許文献２には、湿式工法を実施する熟練した職人不足の対策として、ブロック間の目地にモルタルの代わりに弾性体からなるブロック状の組立用施工部材を用いる方法が開示されている。
【０００５】
さらに、特許文献３、４には、個々のブロックの外周面に弾性体を嵌着または貼付し躯体に取り付けられた格子支持枠と係合する方法など、モルタルを使わない乾式工法が開示されている。このような乾式工法では、いずれもモルタルを使用しないため熟練した職人でなくても作業が可能である。
【特許文献１】特開平１０−２１２７９１号公報
【特許文献２】特開平１１−２２１００号公報
【特許文献３】特開平１１−２４７３１２号公報
【特許文献４】特開２００１−８１８９６号公報
【発明の開示】
【発明が解決しようとする課題】
【０００６】
しかしながら、特許文献１に記載のブロック部材を使用したパネル構体は、フランジ部が全ての辺に形成されているので、枠体に形成された大きい開口部に複数のブロック部材を配置しようとすると、開口部内のブロック部材の間に幅の大きい目地部を形成しなければならず、複数のブロック部材が大きい開口部内に密接に配置されて個々の開口部内が組み物として統一感のある印象を与える意匠のパネル構体を形成することができないという問題点がある。その上、支持部材、ボルト、ナット等の多くの部材を要する取付手段が必要となり、部材費用、組立コスト及び施工コストの点でも問題がある。
【０００７】
また、特許文献２の弾性体からなるブロック状組立用施工部材を用いる方法では、下から順次積み上げていく作業は従来と変わらないため、作業効率向上の効果が少なく、また損傷したブロック単品だけを抜取り、交換することも困難である。
【０００８】
さらに、特許文献３、４の弾性素材のガスケットをブロックに取り付ける方法では、枠体とブロックの位置関係や枠体とブロックの嵌合強度はガスケットの弾性に負っているが、これらの位置関係や嵌合強度は、ブロックと枠体の寸法精度によるバラツキや、ゴムやエラストマーなどのガスケット材の経年変化により変化し、枠体の中でブロックが偏ったり、枠体とブロックの接合強度が低下したりするおそれがある。
【０００９】
また、抜け止めを考慮したガスケットの断面形状から、ブロックを嵌合することは容易であるが、デザイン変更や損傷などで壁面からブロックの単品を抜取って交換することは容易ではない。
【００１０】
本発明は、熟練した職人による作業が不要であり、単体での着脱交換が容易である建材用ブロック材と、該ブロック材を表裏一対で用いた複合中空ブロック体を開口部内に複数近接保持する枠体を有するブロック壁構造体およびブロック壁の組立方法を提供することを技術課題とする。
【課題を解決するための手段】
【００１１】
本発明に係る建材用ブロック材は、略多角形の意匠面と、該意匠面の周縁に略垂直に連なる側壁を有する有底無蓋の箱型形状のブロック材であって、該ブロック材の側壁を構成する複数の辺部の外周面に、意匠面に略平行な係合面を有する係合部が一体的に突設されており、かつ係合部が形成されていない側壁の辺部を有するものである。
【００１２】
本発明の建材用ブロック材としては、有底無蓋の箱型形状で、透光性等を有する三角形、四角形等の略多角形の意匠面である底部を囲むように、それぞれの辺から略均等な高さで側壁が立ち上がっており、側壁の辺部の複数から外周面に意匠面に略平行な係合面を有する係合部が一体的に突設されて、意匠面に対して略垂直な方向に押圧することができる係止部材により係止可能となっている。係合部としては、係合面が意匠面に略平行な方向に、係止部材により安定して係止することが可能な連続的長さまたは断続的に複数形成された場合には、その間隔を合わせた十分な係止長さを有することが好ましい。また、建材用ブロック材は係合部が形成されていない側壁の辺部を有するので、建材用ブロック材の係合部のない辺部同士を密接させて配置することが可能となる。また、ブロック材の意匠面である底部の平面形状としては、三角形、ひし形、四角形、略部分円形などの係合部が形成されていない側壁の辺部同士を隣接させて配置することができる多角形であれば使用可能である。
【００１３】
また、本発明の建材用ブロック材で、係合部が、側壁のコーナー部を除く辺部の中央部側に形成され、意匠面よりも略垂直方向に後退した位置に一体的に突設されていると、目地部に配置される係止部材が意匠面よりも著しく凸設しないようにすることが可能となり、ブロック壁面の外観上好ましい。
【００１４】
さらに、本発明の建材用ブロック材では、係合部は、外周面の突出寸法が施工により介在する目地部の幅寸法の３分の１以下であると、枠材と側壁との距離を小さくすることが可能となり好ましい。
【００１５】
また、本発明の建材用ブロック材では、係合部の断面がＲ形状を連結した連続する曲面で側壁面から一体的に突設されているものであると、係止部材から押圧力が係合部に作用した場合、Ｒ形状面で応力を分散支持させることが可能となり、強度を維持する上で好ましい。
【００１６】
また、本発明の建材用ブロック材は、側壁の端面に、断面がＲ形状の凸設部位が形成されていると、支持ブロックからの押圧力が側壁の端面に作用した場合、Ｒ形状で応力を分散支持させることが可能となり、施工時の損傷防止及び長期間に亘って強度を維持する上で好ましい。
【００１７】
本発明に係るブロック壁構造体は、略多角形の意匠面と、該意匠面の周縁に略垂直に連なる側壁を有する有底無蓋の箱型形状のブロック材及び該ブロック材と対をなすブロック材と、該ブロック材が遊嵌する開口部を有する枠体と、ブロック材を枠体に固定する係止部材とを具備し、枠体の開口部に対をなすブロック材が挿入されて各々の側壁端面を向き合わせて形成した複合中空ブロック体が固定されたブロック壁構造体であって、前記ブロック材は、その側壁の枠体に面する複数の辺部に、意匠面に略平行な係合面を有する係合部が一体的に突設されており、他の複合中空ブロック体のブロック材と隣接する側壁の辺部には係合部が形成されていないものであり、前記枠体の開口部に複数の複合中空ブロック体が係止部材により固定されているものである。
【００１８】
本発明に使用する複合中空ブロック体としては、上記一対の建築用ブロック材がそれらの側壁端面を向き合わせて形成されるものである。複合中空ブロック体を構成するブロック材は、その側壁の枠体に面する複数の辺部に、意匠面に略平行な係合面を有する係合部が一体的に突設されており、かつ他のブロック材と隣接する側壁の辺部には係合部が形成されていないものであるので、複数の複合中空ブロック体を構成するブロック材の係合部が形成されていない側壁の辺部同士を密接させて配置することが可能となる。対をなすブロック材は、側壁端面を向き合わせたときの形状が同じであれば、外観、材質が異なるものを組み合わせることが可能で、デザインの選択の幅が広がり好ましい。枠体としては、複数の複合中空ブロック体が一つの開口部内に遊嵌することが可能なものである。係止部材としては、ブロック材の係合部の係合面に係止する係止部を有し、枠体にネジ止め、割りフック部による孔部への挿入係止等により容易に取り着けられるものなどが使用可能である。また、メンテナンスを考慮すると係止部材は着脱が容易であることが好ましい。
【００１９】
また、本発明のブロック壁構造体に使用するブロック材の係合部は、ブロック材の側壁のコーナー部を除く辺部の中央側で、かつ係合部の意匠面に略平行な係合面が意匠面よりも略垂直方向に後退した位置に一体的に突設されていることが、ブロック壁の外観を整える上で好ましい。
【００２０】
また、本発明のブロック壁構造体は、複数の複合中空ブロック体が、実質的に同じ寸法形状であると、ブロック材の品種を最小限にすることができるので、ブロック材の品種間違いによる後作業を防止し、かつ原価を抑制する上で好ましい。
【００２１】
さらに、本発明のブロック壁構造体は、相互の複合中空ブロック体を構成するブロック材同士の隣接する側壁の間に発泡ポリエチレン、発泡ゴム等の弾性充填材が挟持されていると、ブロック材の側壁の辺部に突設された係合部を枠体に対して安定して押しつけることができ、構造の安定性を保つ上で好ましい。
【００２２】
また、本発明のブロック壁構造体は、枠体の開口部に、対向するブロック材の各々の側壁端面を支持する支持ブロックが凸設されていると、表面側または裏面側から枠体の開口部にブロック材を挿入するだけで、容易に所定の位置に支持することが可能となり、組立作業性を向上させる上で好ましい。
【００２３】
また、本発明のブロック壁構造体は、枠体の開口部に、複合中空ブロック体を構成する一方のブロック材の係合部を支持する係止凸部が形成されており、他方のブロック材の係合部に係止して枠体に固定される係止部材により複合中空ブロック体が固定されていると、予め作製しておいた複数の複合中空ブロック体を枠体の表面側または裏面側から開口部に挿入して係止凸部に当接させするだけで、容易に複合中空ブロック体を所定の位置に支持することが可能となり、その複合中空ブロック体を係止部材により枠体に固定することができるので、組立作業性を向上させる上で好ましい。また、係止凸部が複合中空ブロック体を形成する一方のブロック材の係合部を支持するとともに、枠体の開口部内面から一定の間隔を保って複合中空ブロック体を保持するための役割を有していることがさらに好ましい。
【００２４】
また、本発明のブロック壁構造体は、複合中空ブロック体を形成する互いの側壁端面がシール材で気密固着されていると、複合中空ブロック体の内面に水分やその他の物質が入ることがなく、長期的に内部の汚れを防止することができるので、初期の外観を保つ上で好ましい。また、意匠を損なわない内部の適切な位置に乾燥剤や吸着剤等を入れておいてもよい。
【００２５】
本発明に係るブロック壁の組立方法は、略多角形の意匠面と、該意匠面の周縁に略垂直に連なる側壁を有する有底無蓋の箱型形状のブロック材であって、該ブロック材の側壁の枠体に面する複数の辺部に、意匠面に略平行な係合面を有する係合部が一体的に突設されており、他のブロック材と隣接する側壁の辺部には係合部が形成されていない複数のブロック材及び該ブロック材と対をなす複数のブロック材と、複数のブロック材を遊嵌する開口部を有する枠体と、該開口部に遊嵌した複数のブロック材の係合部を係止して枠体に固定する係止部材とを準備し、前記枠体の開口部に、対をなす前記ブロック材を各々の側壁端面を向き合わせた形態で挿入して複数の複合中空ブロック体を形成する工程と、該複合中空ブロック体を前記係止部材により枠体に固定する工程とを有するものである。
【００２６】
本発明で、枠体の開口部に、対をなすブロック材を各々の側壁端面を向き合わせた形態で挿入して複数の複合中空ブロック体を形成する工程とは、枠体の表裏両面から開口部に対をなすブロック材のそれぞれを嵌入して複合中空ブロック体を形成する場合、予め複数の複合中空ブロック体を形成しておき、枠体の開口部に嵌入する場合がある。複合中空ブロック体を係止部材により枠体に固定する工程とは、対をなすブロック材の片方ずつを係止部材により枠体に固定する場合、複合中空ブロック体となった後のブロック材の係合部を係止して固定する場合がある。
【００２７】
また、本発明のブロック壁の組立方法は、枠体の開口部に、対向するブロック材の各々の側壁端面を支持する支持ブロックを凸設しておき、かつブロック材の係合部が挿入される開口部の位置に、その弾性により進退可能でブロック材の係合部に係止する係止辺部を有する係止部材を固定し、該枠体の開口部に各々のブロック材を挿入して対向する側壁端面により該支持ブロックを挟持させるとともに、係止部材の係止辺部に各々のブロック材の係合部を係止させることにより複合中空ブロック体を形成して枠体に固定するものであると、対をなすブロック材の片方ずつを係止部材により枠体に固定する場合、開口部にブロック材を装着する際に、支障をきたすことなく容易に嵌入することができ、支持ブロックに側壁端面が当接すると深さ方向の位置決めができるので、ブロック壁の組立作業の効率がよくなり好ましい。
【００２８】
さらに、本発明のブロック壁の組立方法は、枠体の開口部に、複合中空ブロック体を構成する一方のブロック材の係合部を支持する係止凸部を形成しておき、該枠体の開口部に複合中空ブロック体を挿入し、他方のブロック材の係合部に係止部材の係止辺部を係止させることにより複合中空ブロック体を枠体に固定すること、複合中空ブロック体となった後のブロック材の係合部を係止して固定する場合、複合中空ブロック体を枠体の開口部に嵌入し、係止凸部に複合中空ブロック体を構成する一方のブロック材の係合部が当接すると深さ方向の位置決めができるので、ブロック壁の組立作業の効率がよく好ましい。
【００２９】
また、本発明のブロック壁の組立方法は、枠体の開口部に挿入する複合中空ブロック体の間に、弾性充填材を挟持させるとは、対をなすブロック材のそれぞれの係合部が形成されていない側壁の辺部に予め弾性充填材を貼り付け、そのブロック材を枠体の表裏両面から開口部に嵌入して複合中空ブロック体を形成する場合、枠体の表裏両面から開口部に対をなすブロック材のそれぞれを嵌入して複合中空ブロック体を形成し、その係合部が形成されていないブロック材側壁の辺部間に発泡ポリエチレン、発泡ゴム等の弾性充填材を貼り付け、他の複合中空ブロック体を形成することで弾性充填材を挟持させる場合、複数の複合中空ブロック体となった後の係合部が形成されていないブロック材側壁の辺部間に弾性充填材を挟持させて枠体の開口部に挿入する場合等がある。このように、複合中空ブロック体の間に、弾性充填材挟持させることで、ブロック壁の組立作業と同時に、複合中空ブロック体を構成するブロック材の側壁の辺部に突設された係合部を枠体に対して安定して押しつけることができ、構造の安定性を保つ上で好ましい。
【発明の効果】
【００３０】
本発明の建築用ブロック材は、上記構成を有するので、枠体に形成された大きい開口部に複数のブロック材を配置することで、複数のブロック部材が大きい開口部内に密接に配置されて個々の開口部内が組み物として統一感のある印象を与える意匠のパネル構体を形成することができる。
【００３１】
本発明のブロック壁構造体は、上記構成を有するので、モルタルを用いることがなく熟練した技能者が不要であり、枠体への挿入が容易で挿入したブロック体の固定も簡便である。さらに、破損した複合中空ブロック体も係合治具を外すだけで簡単容易に交換することが可能である。
【００３２】
本発明のブロック壁の組立方法は、上記構成を有するので、本発明のブロック壁構造体を、その機能を十分に発揮させるべく正確かつ効率よく組み立てることが可能となる。
【発明を実施するための最良の形態】
【００３３】
以下に、本発明の実施形態の例について図面を参照して説明する。
【実施例１】
【００３４】
図１は本発明の建築用ブロック材の説明図、図２は本発明のブロック壁構造体の説明図、図３は図２に示したブロック壁構造体の係合及び接合箇所の断面拡大図であり、図中、１は建築用ブロック材、１ａは意匠面、１ｂは側壁、１ｃは係合短辺部、１ｄは係合長辺部、１ｅは係合部、１ｆは係合面、１ｇは係合しない非係合辺部、１ｈは側壁端面、２はブロック材１と対をなすブロック材、３は枠体、３ａは開口部、３ｂは桟部、４は複合中空ブロック体、５は係止部材、５ａは係止部、６は緩衝材、７はシーリング剤をそれぞれ示している。
【００３５】
本発明の建築用ブロック材１は、図１に示すように、二辺が３６０ｍｍ、長辺が４９５ｍｍ略直角三角形で厚さｔ１が約７ｍｍの意匠面１ａと、意匠面１ａの周縁に略垂直に連なる高さ４２ｍｍで厚さｔ２が約１０ｍｍの側壁１ｂを有する有底無蓋の箱型形状であって、ブロック材１の側壁１ｂを構成する２つの係合短辺部１ｃ及び係合長辺部１ｄの外周面に、意匠面１ａに略平行な係合面１ｆを有する係合部１ｅが一体的に突設されており、かつ係合部１ｅが形成されていない非係合辺部１ｇを有するものである。
【００３６】
建築用ブロック材１の係合部１ｅは、側壁１ｂのコーナー部を除く係合短辺部１ｃの中央部側に長さ１５０ｍｍで、係合長辺部１ｄの中央部側に長さ２５０ｍｍで形成され、断面のＲ１が３ｍｍ、Ｒ２が１．５ｍｍ、Ｒ３が１．５ｍｍ、Ｒ４が４ｍｍ、Ｒ５が１ｍｍとＲ形状を連結した連続する曲面で側壁１ｂの係合短辺部１ｃ表面から一体的に突設されており、係合面１ｆは意匠面１ａよりも略垂直方向に約１０ｍｍだけ後退した位置に設けられている。また、係合部１ｅの目地側への突出寸法は、図２に示す桟部３ｂを含む目地部の幅寸法３７ｍｍの３分の１以下の３ｍｍである。また、建築用ブロック材１の側壁端面１ｈは、断面のＲ６が２ｍｍのＲ面取りが施された凸設部位１ｊが形成されており、強度を維持するようになっている。
【００３７】
次いで、上記建築用ブロック材１を使用した本実施形態のブロック壁１０について説明する。図２に示すように、ブロック壁１０の枠体３には、複数の平行四辺形の開口部３ａが形成されており、一つの開口部３ａ当たり、対をなすブロック材１、２が挿入されて各々の側壁端面１ｈを向き合わせて形成した複合中空ブロック体４が２個装着されている。これら複合中空ブロック体４を構成するブロック材１の係合短辺部１ｃは厚さ０．８ｍｍで幅１２０ｍｍのステンレス製のプレートを成形加工した係止部材５の係止部５ａにより、また係合長辺部１ｄは幅２００ｍｍのプレートを成形加工した係止部材５の係止部５ａにより、それぞれの係合部１ｅの係合面１ｆに係止されて固定されている。
【００３８】
また、図２（Ｂ）のＥ−Ｅ断面を示す図３（Ａ）及びＦ−Ｆ断面を示す図３（Ｂ）のように、各ブロック材１は、その側壁１ｂの係合部１ｅが一体的に突設された２つの係合短辺部１ｃ及び係合長辺部１ｄを枠体３の桟部３ｂに面して挿入され、係合部１ｅが形成されていない非係合辺部１ｇは、他の複合中空ブロック体４のブロック材１と隣接するように配置されており、図２（Ｂ）及びそのＧ−Ｇ断面を示す図３（Ｃ）のように、これら複合中空ブロック体４の隣接するブロック材１同士の側壁１ｂの間に弾性を有する発泡ポリエチレン、発泡ゴム等からなる緩衝材６が挟持されている。
【００３９】
また、枠体３の開口部３ａの桟部３ｂには、図２（Ａ）及び図３（Ｂ）に示すように、幅５０ｍｍで突出量が約１５ｍｍの支持ブロック３ｃが、ブロック材１の係合部１ｅとは緩衝しない係合短辺部１ｃ及び係合長辺部１ｄのコーナー部近くの両側位置に凸設されており対向するブロック材１、２の各々の側壁端面１ｈを支持している。支持ブロック３ｃの表面には、側壁端面１ｈの断面のＲ６が２ｍｍのＲ面取りが施された凸設部位１ｊが当接しており、施工時の損傷を防いで長期間に亘って強度が維持されるようになっている。
【００４０】
枠体３の開口部３ａの桟部３ｂとブロック材１の間、隣接する複合中空ブロック体４の非係合辺部１ｇの間には、シリコーン樹脂製のシーリング剤７が充填され、気密性が維持されている。
【００４１】
次に、ブロック壁１０の組立方法について説明する。まず、複数のブロック材１及び対をなす複数のブロック材２と、予め弾性により進退可能な係止部５ａを有する係止部材５をネジ止めした枠体３とを準備しておく。次いで、図２のＦ−Ｆ断面でのブロック材１の挿入作業を示す図４（Ａ）のように、枠体３の開口部３ａに、ブロック材１の側壁端面１ｈ側を向けて挿入し、側壁端面１ｈの凸設部位１ｊを図３（Ｂ）に示す支持ブロック３ｃに当接させるとともに、係合部１ｅの係合面１ｆを係止部材５の弾性により進退可能な係止部５ａに係止させて、枠体３に対して固定する。対をなすブロック材２も同様にして挿入係止させることにより、各々の側壁端面１ｈを向き合わせた形態で支持ブロック３ｃを挟持させて複合中空ブロック体４を形成する。同様にして、枠体３の開口部３ａに、２つ目の複合中空ブロック体４を形成して開口部３ａを満たす。
【００４２】
次いで、図２（Ｂ）及び図３（Ｃ）に示すように、これら複合中空ブロック体４の隣接するブロック材１同士の側壁１ｂの間に弾性体である発泡ポリエチレン、発泡ゴム等の緩衝材６を充填する。
【００４３】
このような構造の複合中空ブロック体４の場合、ブロック材１と対をなすブロック材２とは溶着されていないため、底部の形状あるいは材質の異なるブロック体どうしを組み合わせて用いることが可能で、デザイン上の自由度が増し好ましい。
【実施例２】
【００４４】
他の実施形態に係るブロック壁構造体１１は、図５及び図６に示すように、枠体１３の開口部１３ａに、図６に示すように、互いの側壁端面１ｈがシリコーンゴム製の断面がＨ形のガスケット１６及びシリコーンシール材１７により気密固着され、外周にブチルゴムシート１８が巻回されている複合中空ブロック体１４が２個、係止部材１５により枠体１３の桟部１３ｂにネジ止めされているものである。
【００４５】
詳細には、ブロック壁構造体１１は、図５のＬ−Ｌ断面を示す図６（Ａ）のように、枠体１３の各開口部１３ａ内には複合中空ブロック体１４を構成する一方のブロック材１の係合部１ｅを支持する係止凸部１３ｃがネジ止め等により固定されており、複合中空ブロック体１４のブロック材２の係合部１ｅに、係止部材１５の係止部１５ａが係止した状態で、弾性層１５ｂを介して係止部材１５がボルト止めされている。また、図６（Ｂ）に示すように、複合中空ブロック体１４内に乾燥剤２０を封入しておくと、内部に露結やくもりが生じないので好ましい。
【００４６】
また、図５のＮ−Ｎ断面を示す図６（Ｃ）のように、隣接する複合中空ブロック体１４の間には、合成発泡ゴム１９が充填されている。さらに、枠体１３の開口部１３ａの桟部１３ｂと複合中空ブロック体１４の間、隣接する複合中空ブロック体１４の非係合辺部１ｇの間には、シリコーン樹脂製のシーリング剤７が充填され、気密性が維持されている。
【００４７】
次に、ブロック壁１１の組立方法を説明する。まず、図７（Ａ）に示すように、シリコーンゴム製の断面がＨ形のガスケット１６にシリコーンシール材１７によりブロック材１、２の側壁端面１ｈを気密固着して複合中空体を形成し、その外周にブチルゴムシート１８を巻回して複合中空ブロック体１４を複数作製する。また、枠体１３の開口部１３ａの桟部１３ｂに、複合中空ブロック体１４を構成する一方のブロック材１の係合部１ｅを支持する係止凸部１３ｃをネジ止め等により固定しておく。
【００４８】
次いで、枠体１３の開口部１３ａに、複合中空ブロック体１４を挿入し、図７（Ｂ）に示すように、係止凸部１３ｃに複合中空ブロック体１４を構成する一方のブロック材１の係合部１ｅを当接させて支持させる。開口部１３ａに挿入した複合中空ブロック体１４を構成する一方のブロック材２の係合部１ｅに、係止部材１５の係止部１５ａ係止させ、弾性層１５ｂを介してボルト１５ｃによりボルト止めする。同様にして、枠体１３の開口部１３ａに、２つ目の複合中空ブロック体１４を挿入固定して開口部１３ａを満たす。その後、枠体１３の開口部１３ａの桟部１３ｂと複合中空ブロック体１４の間、隣接する複合中空ブロック体１４の非係合辺部１ｇの間には、シリコーン樹脂製のシーリング剤７を充填して仕上げる。
【００４９】
上記実施の形態では、略直角二等辺三角形の意匠面を有するブロック材１、２を使用したが、これに限らず、他の三角形、四角形、台形、略部分円形等が使用可能である。また、本発明のブロック壁構造体の設置場所は屋外屋内をこだわらないが、ブロック材やブロック材を封合した複合中空ブロック体の交換が容易であることから、屋内の壁体として、外観や材質などの異なったブロック体を組み合わせることにより、室内空間の模様替えをして雰囲気を変えるために用いることも可能である。
【産業上の利用可能性】
【００５０】
本発明は、ガラス製ブロック材以外の陶器、セラミックス、石材その他の脆性ブロック、金属、樹脂、ゴム、木等のブロックを用いた壁を構築する施工にも適用可能である。
【図面の簡単な説明】
【００５１】
【図１】本発明の建築用ブロック材の説明図であって、（Ａ）は平面図、（Ｂ）は要部断面図。
【図２】本発明のブロック壁構造体の概要図で、（Ａ）は外観の説明図、（Ｂ）は拡大説明図。
【図３】図２に示すブロック壁構造体の接合箇所の断面拡大図であって、（Ａ）は係合箇所であるＥ−Ｅ断面図、（Ｂ）はＦ−Ｆ断面図、（Ｃ）は緩衝材を介して付き合わせた箇所であるＧ−Ｇ断面図。
【図４】図２に示すブロック壁の組立方法の説明図。
【図５】本発明の他のブロック壁構造体の説明図。
【図６】本発明の他のブロック壁構造体の接合箇所の断面拡大図であって、（Ａ）は係合箇所であるＬ−Ｌ断面図、（Ｂ）はＭ−Ｍ断面図、（Ｃ）は緩衝材を介して付き合わせた箇所であるＮ−Ｎ断面図。
【図７】本発明の他のブロック壁の組立方法の説明図。
【符号の説明】
【００５２】
１    建築用ブロック材
１ａ    意匠面
１ｂ    側壁
１ｃ    係合短辺部
１ｄ    係合長辺部
１ｅ    係合部
１ｆ    係合面
１ｇ    非係合辺部
１ｈ    側壁端面
１ｊ    凸面
２    対をなすブロック材
３、１３    枠体
３ａ、１３ａ    開口部
３ｂ、１３ｂ    桟部
３ｃ    支持ブロック
１３ｃ    係止凸部
４、１４    複合中空ブロック体
５、１５    係止部材
５ａ、１５ａ    係止部
６    緩衝材
７    シーリング剤
１１    ブロック壁
１２    他のブロック壁
１３ｃ    係止凸部
１５ｂ    弾性層
１５ｃ    ボルト
１６    ガスケット
１７    シリコーンシール材
１８    ブチルゴムシート
１９    発泡ポリエチレン
２０    乾燥剤                                                                               
【図１】
2006336425.tif 000003
【図２】
2006336425.tif 000004
【図３】
2006336425.tif 000005
【図４】
2006336425.tif 000006
【図５】
2006336425.tif 000007
【図６】
2006336425.tif 000008
【図７】
2006336425.tif 000009